(57)【要約】【課題】Ｏ字型の形状の男性器装着具において、該器具内の部材が透けて見えメカニカルな構造が楽しめ装飾性をも兼ね備えた男性器装着器具を提供する。【解決手段】中が透き通って見える透明な合成樹脂チューブでＯ字型の形状を成し、メカニカルな様相を醸し出すため該チューブの中に球型磁石又は鉄球部材を連結して内蔵するか、あるいは円柱型磁石又は鉄製円柱型部材を連結し内蔵するか、もしくは前述の球型磁石、鉄球部材、円柱型磁石、鉄製円柱型部材の各部材をデザイン的に良好な組み合わせで連結し内蔵する事を特徴としたチューブ内の構造が見える男性器装着器具を提供する。【選択図】図１
2020065896.tif 000002
【特許請求の範囲】
【請求項１】
チューブと該チューブ内に内蔵する部材と該チューブを連結する部材からなる器具であって、その構造は透明で柔軟性の有る合成樹脂チューブ（１）において長手方向の中心部に切り込み（２）を入れ、切れ残った部位が伸縮するヒンジ（３）として機能させ、該切れ込み口が開口する方向に折り曲げ、全体的にＵ字型の形状の本体からなり、該Ｕ字型本体チューブ開口部４箇所にそれぞれ差込用円柱型磁石（４）をはめ込んで密閉し、該差込用円柱型磁石（４）に接続用鉄球（５）又は接続用球型磁石（６）を吸着させて接続することで全体的に環状を成し該密閉したチューブ内に磁石又は鉄製部材を内蔵する事を特徴としたチューブ内の構造が見える男性器装着器具。
【請求項２】
請求項１の男性器装着器具であって、密閉したチューブ（１）の中に内蔵する部材として内蔵用球型磁石（８）のみを連結して内蔵するか又は内蔵用円柱型磁石（７）のみを連結して内蔵することを特徴としたチューブ内の構造が見える男性器装着器具。
【請求項３】
請求項１の男性器装着器具であって、密閉したチューブ（１）の中に内蔵する部材として内蔵用円柱型磁石（７）と内蔵用球型磁石（８）を組み合わせて連結することを特徴としたチューブ内の構造が見える男性器装着器具。
【請求項４】
請求項１の男性器装着器具であって、密閉したチューブ（１）の中に内蔵する部材として内蔵用球型磁石（８）と内蔵用鉄球部材（９）を組み合わせて連結し内蔵するか又は内蔵用鉄製円柱型部材（１０）と内蔵用円柱型磁石（７）を連結して内蔵することを特徴としたチューブ内の構造が見える男性器装着器具。
【請求項５】
請求項１の男性器装着器具であって、密閉したチューブ（１）の中に内蔵する部材として内蔵用球型磁石（８）と内蔵用鉄製円柱型部材（１０）を組み合わせたもの又は内蔵用鉄球部材（９）と内蔵用円柱型磁石（７）を組み合わせて連結することを特徴としたチューブ内の構造が見える男性器装着器具。
【請求項６】
請求項１のチューブ内の構造が見える男性器装着器具であって、請求項１から請求項５に記載の球型磁石並びに円柱型磁石は共にネオジム磁石とし該磁石類及び各鉄製部材の表面色は金属メッキ又は樹脂コーティングを施しその処理色はシルバー色系又はゴールド色系及びファッション性のある金色、銀色、黒色、赤色、白色、黄色、青色、緑色等とし内蔵する時の各部材の組み合わせパターン並びに組み合わせる個数、並びに色の組み合わせが自在に出来ることを特徴としたチューブ内の構造が見える男性器装着器具。
【発明の詳細な説明】
【技術分野】
【０００１】  本発明は、男性器の陰茎部へ装着する男性器装着器具に関するものである。
【背景技術】
【０００２】  従来、男性器装着器具は男性器の陰茎部（以下陰茎と呼称）の根本や陰茎の亀頭環状溝付近に装着する器具で、血行促進又は包皮のストッパーあるいはアクセサリーとして使用することを目的としている。【０００３】中でも亀頭に包皮が被さらないよう包皮のストッパーとして使用する器具は、陰茎が収縮している所謂平常時に包皮が亀頭に被ってこないようにせき止めて固定し亀頭を露出させ続ける目的の器具でこれを包茎器具とも云う。
該包茎器具において包皮をせき止める方法の先行技術としては陰茎の亀頭環状溝に器具を直接装着して固定する方法が主流である。この陰茎の亀頭環状溝に直接装着して包皮をせき止める器具の主な物は、合成樹脂を素材としたリング型形状器具とＣ型形状器具があり、別の例として天然ゴム又は合成樹脂のチューブを素材としたリング型形状器具又はＵ字型形状器具類があり、いずれもそのせき止める目的は概ね達成している。
また、最近の技術では、自分サイズに調整できる器具や装飾的要素を取り入れたアクセサリー的器具も普及している。【０００４】  そこで、従来の機能重視の天然ゴムチューブを主要素材とした器具についてはマニアックな視点でメカニックな部分を強調しアクセサリー的な要素を持った器具も望まれる。
【先行技術文献】
【特許文献】
【０００５】
【特許文献１】特開２００３−３３３８０（Ｐ２００３−３３３８０Ａ）
【特許文献２】［特許番号］特許第５４０６９９９号（Ｐ５４０６９９９）
【０００６】
【非特許文献１】実用新案登録第３２００１７８号（Ｕ３２００１７８）
【非特許文献２】実用新案登録第３１９０２４９号（Ｕ３１９０２４９）
【発明の概要】
【発明が解決しようとする課題】
【０００７】  本発明は、以上の様な背景を有することから両端が開放され内部が可視できないチューブ素材からなる男性器装着器具内部において、その構成部材が見える素材と構造で構成し装飾的要素を取り入れアクセサリー的器具とする事を課題とする。
【課題を解決するための手段】
【０００８】  上記課題を解決する為に、本発明は、図１の様に柔軟性に富み中が透けて見える透明樹脂チューブ（１）を主要部材とし該チューブの長手方向の中央部に切り込み（２）を入れ、切れ残った部分を伸び縮みするヒンジ（３）として機能させ、該切り込み口が開口する方向に折り曲げ、その結果全体的にＵ字の形状の本体からなり、該Ｕ字型本体チューブ開口部４箇所にそれぞれチューブ穴差込用円柱型永久磁石（以下差込用円柱型磁石と称す）（４）で栓をし、該差込用円柱型磁石に接続用鉄球（以下鉄球と称す）を吸着接続させ図１の様に全体的にリング型を成す事を特徴としている。【０００９】  この様に包茎器具のヒンジ部はチューブが物理的に繋がっているが、開閉部は鉄球をくっつけると全体がリング型になり、鉄球を引き離すと全体がＵ字状になる。そこでこの開閉部を操作して容易に陰茎に装着したり外したりできる構造である。【００１０】以下球型円柱型の各組み合わせについて説明する。
メカニカルな様相を醸し出すため該チューブの中に内蔵用球型磁石（８）又は内蔵用鉄球部材（９）を連結して内蔵するか、あるいは内蔵用円柱型磁石（７）又は内蔵用鉄製円柱型部材（１０）を連結し内蔵するか、もしくは前述の内蔵用球型磁石、内蔵用鉄製円柱型部材、内蔵用鉄球部材、内蔵用円柱型磁石の各部材をデザイン的に良好な組み合わせで連結し内蔵する事を特徴としたチューブ内の構造が見える男性器装着器具である。
【発明の効果】
【００１１】  以上の説明の通り、中が透けて見えるチューブであるため、中に入れる部材単独又は部材と部材の組み合わせることでメカニカルなデザインを視覚的に訴える効果がある。【００１２】  加えて、前述の部材の大きさ、太さ、長さを変えて組み合わせることで容易に安価でデザイン性に優れた製造が可能になる。
【図面の簡単な説明】
【００１３】
【図１】本発明全体の構成を示す概略透視図である。
【図２】チューブ内に同一の磁石を連結して内蔵した実施２例の透視図である。
【図３】チューブ内に異なる磁石を連結して内蔵した実施２例の透視図である
【図４】チューブ内に磁石と鉄部材の同一形状を組み合わせた実施２例の透視図である。
【図５】チューブ内に磁石と鉄部材の異形状を組み合わせた実施２例の透視図である。
【発明を実施するための型態】
【００１４】  以下本発明を実施するための形態を図面に基づき説明するが、以後の説明用語でもネオジム永久磁石を単に磁石と呼称し図面ではハッチングで示す。また、柔軟性のある合成樹脂チューブは単にチューブと呼称する。加えて実施例の説明において寸法等を示しているが、これは一例でありこれらの寸法に限定される物ではない。
【実施例１】
【００１５】  図１は請求項１における構造と部材の全体構成を図示した概略透視図であって、本器具の主要構成物として、例えば外径６ｍｍ、内径４ｍｍ、長さ１０ｃｍの透明のシリコーンチューブ（１）の長手方向の中心部に８割程度の深い切り込みを入れ（２）、切れ残った２割程度の部分を伸び縮みするヒンジ（３）として作用させ、該切れ込み口が開口する方向に折り曲げると全体的にＵ字型の形状となり、該Ｕ字型本体チューブ開口部４箇所にそれぞれ差込用円柱型磁石（４）を１個ずつ挿入して栓をし、該差込用円柱型磁石に接続用鉄球（５）と接続用球型磁石（６）で吸着接続させ図１の様に全体的にリング状を成す事を特徴とした包茎器具となる。この場合の差込用円柱型磁石の着磁方向は縦方向着磁とし、リング状を型成した時チューブの穴に差し込む磁石の磁極は一連の磁石配列においてＮ極とＳ極は常に吸引しあう実施例を示すことができる。【００１６】  尚、実施においてのチューブの素材は他の透明な樹脂素材でも良い。差込用円柱型磁石（４）の一例として、直径４、５ｍｍ長さ７ｍｍのネオジム磁石を使用し、その表面処理はニッケルメッキ又はクロムメッキ処理磁石を紹介する。尚、チューブのサイズを変更して実施する場合の差込用円柱型磁石のサイズは、チューブの内径に合わせ簡単に抜けない太さの差込用円柱型磁石である必要がある。【００１７】  また、接続用鉄球（５）は差込用円柱型磁石（４）に吸着させ環状につなぐ為の鉄製で、直径は６ｍｍ〜１１ｍｍ程度とし、色はニッケルメッキのシルバー色又はゴールド色に見える種類のメッキとした。
【実施例２】
【００１８】  次に請求項２の実施例を図２の２−１で説明すると、透明のチューブ（１）の両端を差込用円柱型磁石（４）で栓をし、密封したチューブの中に内蔵用球型磁石（８）を連結して内蔵したものである。【００１９】  図２−２の実施例は、チューブの中に入れる部材として内蔵用円柱型磁石（７）を連結して内蔵したものである。
【実施例３】
【００２０】  図３は請求項３についての実施例である。透明のチューブ（１）に内蔵用球型磁石（８）と内蔵用円柱型磁石（７）交互に組み合わせ連結してチューブ内に内蔵した様子である。
【実施例４】
【００２１】  図４の実施例４−１はチューブの中に内蔵用球型磁石（８）と内蔵用鉄球部材（９）とを交互に組み合わせ連結し内蔵したものである。【００２２】  実施例４−２は、チューブの中に内蔵用円柱型磁石（７）と内蔵用鉄製円柱型部材（１０）を交互に連結して内蔵するものである。【００２３】図５は、請求項５について５−１の実施例から説明する。チューブの中に内蔵用球型磁石（８）と内蔵用鉄製円柱型部材（１０）を交互に連結し内蔵するものである。【００２４】  実施例５−２はチューブの中に内蔵用鉄球部材（９）と内蔵用円柱型磁石（７）を交互に組み合わせ連結して内蔵するものである【００２５】  以上述べた各球型磁石及び各鉄球並びに各円柱型磁石及び各鉄製部材の表面色は請求項６に記載の通りに、金属メッキ又は樹脂コーティングを施しその処理色はシルバー色系又はゴールド色系及びファッション性のある金色、銀色、黒色、赤色、白色、黄色、青色、緑色等でコーティング処理し好みの色とし、内蔵する時の各部材の組み合わせパターン並びに組み合わせる個数、並びに色の組み合わせが自在に出来るものである。
【符号の説明】
【００２６】１  チューブ
２  切り込み
３  ヒンジ
４  差込用円柱型磁石
５  接続用鉄球
６  接続用球型磁石
７  内蔵用円柱型磁石
８  内蔵用球型磁石
９  内蔵用鉄球部材
１０  内蔵用鉄製円柱型部材
【図１】
2020065896.tif 000003
【図２】
2020065896.tif 000004
【図３】
2020065896.tif 000005
【図４】
2020065896.tif 000006
【図５】
2020065896.tif 000007